(57)【特許請求の範囲】
【請求項１】
洗剤タンク内の洗剤を洗剤供給路を介して便器外郭体のボウル部に供給して洗剤洗浄を行う便器装置において、洗剤タンクに前記洗剤供給路に連通接続される被接続部を設け、洗剤タンクホルダの被嵌込部を便器外郭体の内部部材の嵌込部に外側方から着脱自在に嵌め込むと共に、該洗剤タンクホルダに嵌め込んで保持された洗剤タンクの被接続部を洗剤供給路に着脱自在に接続し、前記洗剤タンクホルダの被嵌込部を内部部材の嵌込部に外側方から嵌め込む際において、洗剤タンクホルダを被嵌込部が嵌込部に嵌め込まれるよう上下方向及び前後方向における所定位置にガイドするためのガイド部を備えて成ることを特徴とする便器装置。
【請求項２】
上記ガイド部を洗剤タンクの被接続部の上方に配設して成ることを特徴とする請求項１に記載の便器装置。
【請求項３】
上記内部部材にガイド部を設けると共に、該ガイド部を便器外郭体の外側面部に形成した開口部から外側方に突出して洗剤タンクの上方に位置させ、洗剤タンクホルダにタンクカバーを着脱自在に取り付け、該タンクカバーにより、前記開口部、洗剤タンクホルダ、洗剤タンクホルダに保持された洗剤タンク、及びガイド部を覆い、
前記タンクカバーの前後両側に回動用被係止部を設けると共に、タンクカバーに両回動用被係止部よりも下方に位置する固定用被係止部を設け、タンクカバーの両回動用被係止部を洗剤タンクホルダの上部の前後両側に夫々回動自在に係止すると共に、固定用被係止部を洗剤タンクホルダの下部に係止して成ることを特徴とする請求項１又は請求項２に記載の便器装置。
【発明の詳細な説明】
【技術分野】
【０００１】
本発明は洗剤タンクを有する便器装置に関する。
【背景技術】
【０００２】
従来から洗剤又は洗剤を水で希釈してなる洗浄液を便器のボウル部に供給して洗剤洗浄を行う便器装置が特許文献１により知られている。
【０００３】
また、この種の便器装置として近年図１８に示す便器装置が利用されている。このものは便器形状を有する便器外郭体２の内部に温水洗浄装置等の内装装置８０や支持フレーム８１等の内部構造体からなる内部部材を配設し、該内部部材に取り付けた洗剤タンクホルダ８６に便器外郭体２内に配置した洗剤タンク８２を嵌め込み保持している。
【０００４】
ところで上記洗剤タンク８２には被接続部８７を設けてあり、この被接続部８７をボウル部に連通する所定位置に設けた洗剤供給路に着脱自在に連通接続することで、洗剤タンク８２からボウル部に洗剤を供給することが可能となる。
【０００５】
ここで上記洗剤タンク８２の取り付け位置は洗剤タンク８２を保持する洗剤タンクホルダ８２によって決定されるものであるため、洗剤タンク８２の被接続部８７を洗剤供給路に接続するには洗剤タンクホルダ８６を内部部材の所定位置に正確に取り付ける必要がある。しかし、このように洗剤タンクホルダ８６を正確に位置決めして取り付ける作業を行うことは狭いトイレ室内においては難しく、また面倒である。
【特許文献１】特開２００５−２１３７７１号公報
【発明の開示】
【発明が解決しようとする課題】
【０００６】
本発明は上記従来の問題点に鑑みてなされたものであって、洗剤タンクホルダを正確な位置に且つ容易に取り付けることができる便器装置を提供することを課題とする。
【課題を解決するための手段】
【０００７】
上記課題を解決するために本発明に係る便器装置は、洗剤タンク１５内の洗剤を洗剤供給路８４を介して便器外郭体２のボウル部３に供給して洗剤洗浄を行う便器装置において、洗剤タンク４１に前記洗剤供給路８４に連通接続される被接続部７９を設け、洗剤タンクホルダ１５の被嵌込部３６を便器外郭体２の内部部材の嵌込部２５に外側方から着脱自在に嵌め込むと共に、該洗剤タンクホルダ１５に嵌め込んで保持された洗剤タンク４１の被接続部７９を洗剤供給路８４に着脱自在に接続し、前記洗剤タンクホルダ１５の被嵌込部３６を内部部材の嵌込部２５に外側方から嵌め込む際において、洗剤タンクホルダ１５を被嵌込部３６が嵌込部２５に嵌め込まれるよう上下方向及び前後方向における所定位置にガイドするためのガイド部２８を備えて成ることを特徴とする。
【０００８】
また、請求項２は請求項１において、上記ガイド部２８を洗剤タンク４１の被接続部７９の上方に配設して成ることを特徴とする。
【０００９】
また、請求項３は請求項１又は請求項２において、上記内部部材にガイド部２８を設けると共に、該ガイド部２８を便器外郭体２の外側面部に形成した開口部２１ａから外側方に突出して洗剤タンクの上方に位置させ、洗剤タンクホルダ１５にタンクカバー３５を着脱自在に取り付け、該タンクカバー３５により、前記開口部２１ａ、洗剤タンクホルダ１５、洗剤タンクホルダ１５に保持された洗剤タンク４１、及びガイド部２８を覆い、前記タンクカバー３５の前後両側に回動用被係止部７１を設けると共に、タンクカバー３５に両回動用被係止部７１よりも下方に位置する固定用被係止部７３を設け、タンクカバー３５の両回動用被係止部７１を洗剤タンクホルダ１５の上部の前後両側に夫々回動自在に係止し、固定用被係止部７３を洗剤タンクホルダ１５の下部に係止して成ることを特徴とする。
【発明の効果】
【００１０】
請求項１に係る発明では、洗剤タンクホルダの被嵌込部を便器外郭体の内部部材の嵌込部に外側方から嵌め込む際において、ガイド部により洗剤タンクホルダを被嵌込部が嵌込部に嵌め込まれるよう上下方向及び前後方向における所定位置にガイドすることができ、洗剤タンクホルダを容易に内部部材に取り付けることができる。
【００１１】
また、請求項２に係る発明では、請求項１の効果に加えて、ガイド部を被接続部の近い箇所に配置することで、洗剤タンクホルダの被接続部に近い箇所を正確に位置決めすることができ、被接続部を洗剤供給路により確実に接続できる。
【００１２】
また請求項３に係る発明では、請求項１又は請求項２に係る発明の効果に加えて、以下の効果を奏することができる。即ち、タンクカバーを洗剤タンクホルダに取り付ける場合、まずタンクカバーを下部が上部よりも便器外郭体の外側方に位置するように傾斜させる又は横向きとし、タンクカバーを洗剤タンクホルダ側に押し込んで両回動用被係止部を洗剤タンクホルダの上部に回動自在に係止し、この後、タンクカバーの下部を洗剤タンクホルダ側に押し込み、タンクカバーを両回動用被係止部を支点として回動し、当該タンクカバーの固定用被係止部を洗剤タンクホルダの下部に係止するという作業により、タンクカバーを洗剤タンクホルダに取り付けることができる。
【００１３】
従って、洗剤タンクホルダの外側斜め上方から洗剤タンクホルダを取り付けることができ、狭いトイレ室内において容易にタンクカバーを取り付けことができる。また、上記タンクカバーの両回動用被係止部を洗剤タンクホルダの上部に係止する時には、タンクカバーの上部をガイド部上に沿わせてタンクカバーをガイドすることも可能となり、タンクカバーを容易に洗剤タンクホルダに取り付けることができる。
【発明を実施するための最良の形態】
【００１４】
以下、本発明を添付図面に示す実施形態に基づいて説明する。なお、以下の説明に用いられる方向は用を足す際に便座１３に着座した人から見た方向を基準とする。
【００１５】
図１乃至図１５に示す本実施形態の便器装置１は、ボウル部３を備えた便器形状を有する合成樹脂製の便器外郭体２と、便器外郭体２に内装されて便器外郭体２を支持・補強する金属製の支持フレーム４を備えている。
【００１６】
図１及び図２に示すように、支持フレーム４は、床に設置される平面視環状の下フレーム材５と、下フレーム材５の後部の両側に立設した後フレーム材６を備えている。各後フレーム材６の上端部は前方に向けて折曲されて前後に長い上フレーム部１６を構成している。
【００１７】
下フレーム材５の後部にはトラップケース７が取り付けられる。トラップケース７に内装されるトラップはターントラップ方式のもので、図３に示すようにフレキシブルなトラップ筒８により構成される。トラップ筒８の一端はボウル部３の下部から後方に突出する排水筒部９に接続され、他端は自由端となる。
【００１８】
トラップ筒８はトラップケース７に設けたモータにより回動させることで、自由端側の開口を上向きとしたトラップ構造を形成する状態と、自由端側の開口を下向きとして前記トラップ構造を解除して排水される状態とを選択できるようになっている。トラップケース７は床等に設けた排出孔（図示せず）に連通接続され、前述のトラップ筒８のトラップ構造を解除することで、ボウル部３内の溜め水はトラップ筒８及びトラップケース７を介して排出孔から排出される。
【００１９】
便器外郭体２は後方に開口する前パーツＦと前方に開口する後パーツＲで構成される。
【００２０】
図１に示すように、便器外郭体２の前側の外郭を構成する前パーツＦは、平面視面略Ｕ字状のスカート部１０と、スカート部１０内に位置するボウル部３と、ボウル部３上に位置するリム部１１とで構成され、これら合成樹脂製のスカート部１０、ボウル部３、リム部１１は溶着又は接着により固着一体化してある。
【００２１】
ボウル部３の外側を覆うスカート部１０の下端部の内側には下フレーム材５の前部が嵌め込まれ、この状態でスカート部１０をねじ具等により支持フレーム４に固着することで前パーツＦは支持フレーム４に対して固着される。
【００２２】
リム部１１は前パーツＦの上面を構成して便座１３を載置するための便座載置部１２を備えている。
【００２３】
便器外郭体２の後部の上部には内装ユニット２３が内装される。内装ユニット２３は、温水洗浄装置２７、脱臭装置、洗浄液吐出装置３０、制御回路等の便器内装機器を一群にまとめて機器ケース２４に設けることで構成される。
【００２４】
一群の便器内装機器のうち、洗浄液吐出装置３０はボウル部３内に水又は水に界面活性剤を含む洗剤を混合してなる洗浄液のいずれかを選択的に吐出してボウル部３の内面を洗浄するものであり、便器外郭体２の側端部に内装される。
【００２５】
図５に示す洗浄液吐出装置３０は、ボウル部３に水を供給する給水路３２と、給水路３２の下流側端部に設けた混合装置３３を備えている。
【００２６】
給水路３２は図示しない水道管に接続される。給水路３２の上流部には電磁弁からなる給水制御弁３７（図３参照）を設けてあり、該給水制御弁３７を開閉することにより給水路３２への水の供給の有無が切り替えられる。
【００２７】
図５に示すように、混合装置３３は、給水路３２の下流側端部を構成する水流路部３９と、循環洗剤路４５の一部を構成する循環流路部４３と、循環流路部４３と水流路部３９を連通接続する分岐流路部４４と、循環流路部４３に設けた循環ポンプ５３とをユニット化して構成され、機器ケース２４に着脱自在に取り付けられる。
【００２８】
水流路部３９は、上流側から順に設けた、接続ノズル４６、エジェクタ管４７、吐出ノズル４８により構成される。
【００２９】
エジェクタ管４７の長さ方向の中間部は他部よりも流路面積を小さくした小径部４９で構成され、小径部４９には洗剤混入口部５５が設けてある。エジェクタ管４７の小径部４９よりも上流側を構成する上流部５０には先細となった接続ノズル４６の先端部を接続してある。接続ノズル４６の後端部には給水路３２の一部を構成する給水管３８の下流端が着脱自在に接続される。
【００３０】
エジェクタ管４７の上流部５０の接続ノズル４６の先端近傍部分には吸気口部５２を設けてある。吸気口部５２には一端を大気に開放した空気供給路５１の他端が接続される。
【００３１】
小径部４９の洗剤混入口部５５には上下に長い分岐流路部４４を接続してある。分岐流路部４４の上端は循環流路部４３に一体に接続してあり、循環流路部４３の上流端は循環ポンプ５３の吐出側に接続してある。循環ポンプ５３の吸込側と循環流路部４３の下流端は循環洗剤路４５の主流路部５６によって連通接続され、該主流路部５６と循環流路部４３によって循環洗剤路４５が構成される。
【００３２】
主流路部５６の途中には洗剤タンク４１が設けられ、循環ポンプ５３を運転することで洗剤タンク４１内の洗剤が循環洗剤路４５を循環するようになっている。
【００３３】
また、分岐流路部４４には弁５７を設けてある。弁５７は循環ポンプ５３の運転時には開き、停止時には閉じるように設定してあり、これにより循環ポンプ５３の停止時において循環洗剤路４５から水流路部３９に洗剤が漏れ出ることが防止される。
【００３４】
エジェクタ管４７の小径部４９よりも下流側を構成する下流部５４は、混合装置３３の吐出口を構成する吐出ノズル４８の後端部に接続してある。吐出ノズル４８の先端部はボウル部３の後部に設けた給水口内に着脱自在に嵌め込まれ、ボウル部３内に臨む。
【００３５】
上記洗浄液吐出装置３０を用いてボウル部３に水を供給する場合は、循環ポンプ５３を停止した状態で給水制御弁３７を開く。これにより、水道管からの水が給水路３２を経て吐出ノズル４８の先端からボウル部３内へと水が吐出される。また、この時、先細となった接続ノズル４６からエジェクタ管４７の上流部５０に水が流れこむことにより接続ノズル４６の先端付近に負圧が発生し、これにより外部の空気が空気供給路５１及び吸気口部５２を経てエジェクタ管４７を流れる水に混入される。そして、この気泡を混合した水は、エジェクタ管４７において大径の上流部５０から小径部４９を経て大径の下流部５４へ流れる際に加圧・減圧され、この圧力変化に伴い水に含まれる気泡が剪断され微小化する。また、この気泡は下流部５４に設けたメッシュからなる整流板５８にてさらに細分化されて微小化され、この後、ボウル部３に吐出される。
【００３６】
また、上記洗浄液吐出装置３０を用いてボウル部３に洗剤を混合した水を供給する場合は、循環ポンプ５３を運転した状態で給水制御弁３７を開く。この場合も上記と同様に水道管から給水路３２に流れこんだ水には吸気口部５２から空気が混入されるが、このとき小径部４９を流れる水には循環洗剤路４５を循環する洗剤の一部が分岐流路部４４及び洗剤混入口部５５を経て混入される。従って、この場合は、水に洗剤を混合し且つ微小化された気泡を含む洗浄液がボウル部３に吐出される。つまり、本実施形態では、洗剤タンク４１内の洗剤を便器外郭体２のボウル部３に供給するための洗剤供給路８４を、循環洗剤路４５、分岐流路部４４、及び給水路３２により構成してある。
【００３７】
上記のように微小気泡を含む水又は洗浄液をボウル部３に吐出した場合、この水又は洗浄液はボウル部３の上部内面に略水平に吐出されることでボウル部３の内面に沿って周回しつつ汚れを落としていく。このとき水又は洗浄液に含まれる微小気泡がボウル部３の内面の衝突した際に高周波振動を引き起こし、これによりボウル部３の内面を効率良く洗浄できる。また、ボウル部３に吐出されるのが洗剤を含む洗浄液の場合には、洗剤が有する洗浄効果によりボウル部３の内面を一層綺麗に洗浄できる。
【００３８】
上記内装ユニット２３の前部は前パーツＦの上部に挿入され、この状態で機器ケース２４は支持フレーム４の後部両側に立設した後フレーム材６の上フレーム部１６上に載置され、ボルトにより上フレーム部１６に固着される。
【００３９】
上記により、内装ユニット２３の機器ケース２４上に設けた温水洗浄装置２７の局部洗浄ノズル２９はボウル部３内に臨む。また、上記のように内装ユニット２３を前パーツＦに挿入することで、混合装置３３の前端部に設けた吐出ノズル４８がボウル部３の後方に開口する給水口に嵌め込まれ、ボウル部３内に連通する。
【００４０】
後パーツＲは、上カバー２０及び両側の側カバー２１及び背面カバー２２で構成され、該後パーツＲの上部に内装ユニット２３の後部が収納される。
【００４１】
上カバー２０は機器ケース２４の後部に着脱自在に取り付けられ、該上カバー２０により内装ユニット２３の上側が覆われる。また、上カバー２０には便座１３や便蓋３４が回動自在に取り付けられる。
【００４２】
背面カバー２２は支持フレーム４や上カバー２０に着脱自在に取り付けられ、該背面カバー２２により機器ケース２４や機器ケース２４の下方に位置するトラップケース７の後方が覆われる。
【００４３】
両側の側カバー２１は機器ケース２４や前パーツＦに着脱自在に取り付けられ、各側カバー２１により機器ケース２４やトラップケース７の夫々の側方が覆われる。また、図１に示すように両側の側カバー２１のうち左側の側カバー２１の上部の中央部には切欠からなる開口部２１ａを形成してあり、該便器外郭体２の外側面部の後部の上部に形成した開口部２１ａには以下に示すように洗剤タンク４１が配設される。
【００４４】
洗剤タンク４１は便器外郭体２内に設けた内部部材に設けられる。この内部部材としては既述の内装ユニット２３等の内装装置や支持フレーム４からなる内部構造体等が挙げられ、本実施形態では洗剤タンク４１を内装ユニット２３に設けてあり、以下詳述する。
【００４５】
図１３に示すように機器ケース２４の左側の外側面の後部に洗剤タンクホルダ１５を着脱自在に取り付けてあり、この洗剤タンクホルダ１５に図１２に示すように洗剤タンク４１が着脱自在に取り付けられる。つまり、洗剤タンク４１は洗剤タンクホルダ１５を介して内装ユニット２３の外側面に設けられている。
【００４６】
図２に示すように機器ケース２４の洗剤タンクホルダ１５が取り付けられる外側面には、洗剤タンク４１の下流側と上流側の夫々に接続される接続口１４ａ、１４ｂを外側方に向けて突設してある。両接続口１４ａ、１４ｂは前後方向に並んでいる。接続口１４ａ、１４ｂは循環洗剤路４５の両端部を構成し、循環洗剤路４５における洗剤タンク４１との接続部分を構成する。
【００４７】
図１０に示すように上記機器ケース２４の外側面には外側方に向けて突出する嵌込部２５を一体に形成している。嵌込部２５は側面視矩形状の中空箱状に形成してあり、接続口１４ｂの下方に位置している。
【００４８】
嵌込部２５の突端面部には嵌込部２５の内部空所に連通するロック部材挿通孔２６を形成している。ロック部材挿通孔２６は前後に長い楕円形状に形成してあり、非円形となっている。
【００４９】
また、上記機器ケース２４の外側面には洗剤タンクホルダ１５の取り付けの際にガイドとして用いられるガイド部２８を一体に形成してある。
【００５０】
ガイド部２８は機器ケース２４から外側方に向けて突出した左右方向に長い平面視長方形状で且つ略水平板状であり、両接続口１４ａ、１４ｂの上方に位置している。
【００５１】
図８に示すようにガイド部２８の下面にはガイド部２８の長手方向と平行な直線状のガイドリブ３１ａ、３１ｂを複数条並設してある。図示例ではガイド部２８の幅方向の中央にガイドリブ３１ａを３条設けると共に、両端にガイドリブ３１ｂを１条ずつ設けてある。
【００５２】
図６及び図７に示すように、洗剤タンクホルダ１５は外側方（左側方）に開口する箱状に形成されている。
【００５３】
図８に示すように洗剤タンクホルダ１５の機器ケース２４側に面する奥壁部１５ａにおいて前述の接続口１４ａ、１４ｂに対応する箇所には、前後に長い矩形状で奥壁部１５ａを貫通する接続口挿通孔５９を形成している。具体的には、接続口挿通孔５９は奥壁部１５ａの上端部の後部に位置している。
【００５４】
また、洗剤タンクホルダ１５の奥壁部１５ａの外面（機器ケース２４側の面）において前述の嵌込部２５に対応する箇所には矩形状の凹部からなる被嵌込部３６を形成している。
奥壁部１５ａにおける被嵌込部３６に対応する箇所、詳しくは前述のロック部材挿通孔２６に対応する箇所には、図１０に示すように奥壁部１５ａを貫通するロック部材４２を回動自在に取り付けている。
【００５５】
ロック部材４２の洗剤タンクホルダ１５内に向けて突出した機器ケース２４と反対側の端部にはロック部材４２を回動操作するための摘み部６１を形成している。また、被嵌込部３６内に突出した機器ケース２４側の端部にはロック部６０（図１６（ａ）参照）を設けてあり、該ロック部６０は非円形で且つロック部材挿通孔２６に挿通可能な形状及びサイズに形成されている。
【００５６】
さらに、図９等に示すように洗剤タンクホルダ１５の上面には左右に長い被ガイドリブ６５ａ、６５ｂを前後方向に複数条並設してある。図示例では接続口挿通孔５９の上方位置に２条の上下位置決め用の被ガイドリブ６５ａを設けると共に、これら２条の被ガイドリブ６５ａの前後方向における両外側に前後位置決め用の被ガイドリブ６５ｂを設けている。
【００５７】
上下位置決め用の各被ガイドリブ６５ａは左右に長い直線状に形成してある。各被ガイドリブ６５ａの長手方向における一部、詳しくは機器ケース２４側の端部の上面は、機器ケース２４側に行く程下り傾斜したガイド傾斜面６６となっている。また、各被ガイドリブ６５ａのガイド傾斜面６６後方の上面は水平な面６７となっている。
【００５８】
また、前後位置決め用の各被ガイドリブ６５ｂは被ガイドリブ６５ａよりも背が高くなっている。また、両被ガイドリブ６５ｂは機器ケース２４側に行く程両被ガイドリブ６５ｂの前後方向の間隔が広がるよう湾曲しており、両者の間に末広がり形状の溝を形成している。
【００５９】
上記洗剤タンクホルダ１５を機器ケース２４に取り付けるには例えば以下のように行う。まず、図１０に示すように、ロック部材４２の摘み部６１を回動することによりロック部６０をロック部材挿通孔２６に挿通可能な状態とする。
【００６０】
次に、機器ケース２４の外側方に位置させた洗剤タンクホルダ１５を機器ケース２４側に移動して機器ケース２４の嵌込部２５に洗剤タンクホルダ１５の被嵌込部３６を嵌め込む。これによりロック部材４２のロック部６０はロック部材挿通孔２６を介して嵌込部２５内に挿入される。
【００６１】
そして、ロック部材４２の摘み部６１を９０度回動して図１６（ａ）に示すように嵌込部２５内のロック部６０をロック部材挿通孔２６の縁部に係止し、これにより被嵌込部３６から嵌込部２５が抜け出ないようにロックする。
【００６２】
ここで、上記洗剤タンクホルダ１５の被嵌込部３６を機器ケース２４の嵌込部２５に外側方から嵌め込む際には、以下のようにガイド部２８を利用することで、洗剤タンクホルダ１５を被嵌込部３６が嵌込部２５に嵌め込まれるよう上下方向及び前後方向における所定位置にガイドできるようになっている。
【００６３】
即ち、洗剤タンクホルダ１５の被嵌込部３６を機器ケース２４の嵌込部２５に嵌め込む際には、洗剤タンクホルダ１５の各被ガイドリブ６５ａを前側２条のガイドリブ３１ａの間及び後側２条のガイドリブ３１ａの間に夫々挿入して被ガイドリブ６５ａの上面をガイド部２８の下面に沿わせながら、且つ、洗剤タンクホルダ１５の両被ガイドリブ６５ｂの間にガイド部２８の両側のガイドリブ３１ｂを挿入して、両被ガイドリブ６５ｂの内側の側面にガイド部２８の両ガイドリブ３１ｂを沿わせながら、洗剤タンクホルダ１５を機器ケース２４側にスライドする。
【００６４】
上記のように洗剤タンクホルダ１５を機器ケース２４側に移動する際に、被ガイドリブ６５ａの上面をガイド部２８の下面に沿わせることにより、ガイド部２８の下面に各被ガイドリブ６５ａのガイド傾斜面６６や水平な面６７に沿わせて、洗剤タンクホルダ１５を被嵌込部３６が嵌込部２５と上下方向における同位置に位置するようにガイドすることができる。
【００６５】
また、洗剤タンクホルダ１５を機器ケース２４側に移動する際に、両被ガイドリブ６５ｂの内側面にガイド部２８の両ガイドリブ３１ｂを沿わせることで、洗剤タンクホルダ１５の機器ケース２４側への移動に伴い、洗剤タンクホルダ１５を被嵌込部３６が嵌込部２５と前後方向における同位置に位置するようにガイドすることができる。
【００６６】
また、上記ガイド部２８は洗剤タンク４１の被接続部７９を構成する横管部１７ａ１、１７ｂ１の上方の近い箇所に位置している。従って、洗剤タンクホルダ１５の被接続部７９に近い箇所を正確に位置決めすることができ、被接続部７９を洗剤供給路８４により確実に接続できる。また、このガイド部２８は洗剤タンク４１の上方に位置しているので、例えば便器外郭体２を掃除する人の体の一部が便器外郭体２の外側面部から突出した後述のタンクカバー３５に上側から当たり、これによりタンクカバー３５に下向きの外力が加わる等したとしても、この荷重を内部部材から突出するガイド部２８で受けることができ、洗剤タンク４１の変形や破損を防止でき、また、洗剤タンク４１が外れることも防止できる。
【００６７】
なお、上記ガイド部２８による洗剤タンクホルダ１５の上下方向及び前後方向のガイドは被嵌込部３６が嵌込部２５に完全に嵌め込まれるまで行うことができるものであり、即ち最終的に被嵌込部３６が嵌込部２５に嵌め込まれた状態においては、各被ガイドリブ６５ａの面６７がガイド部２８の下面に当接する又はガイド部２８の下面の近傍に位置し、また、両被ガイドリブ６５ｂの後部の間に両ガイドリブ３１ｂが嵌め込まれるものである。
【００６８】
上記のように機器ケース２４に取付けた洗剤タンクホルダ１５の上方、詳しくは接続口挿通孔５９の上方には、図１７に示すようにガイド部２８が位置する。また、機器ケース２４に設けた接続口１４ａ、１４ｂは洗剤タンクホルダ１５に設けた接続口挿通孔５９を介して外側方に突出し露出する。
【００６９】
図１３のように洗剤タンク４１の上面部には洗剤補給口部とキャップ取付口部６３とが設けてあり、洗剤補給口部には開閉自在な蓋１９が取り付けてある。
【００７０】
また、キャップ取付口部６３にはキャップ６２が着脱自在に取り付けてある。キャップ６２には共に逆Ｌ状をした下流側接続管１７ａ及び上流側接続管１７ｂが装着してあり、キャップ６２をキャップ取付口部６３に取り付けることで、下流側接続管１７ａ及び上流側接続管１７ｂの夫々の縦管部がキャップ取付口部６３から洗剤タンク４１内に差し込まれると共に、下流側接続管１７ａ及び上流側接続管１７ｂの夫々の横管部１７ａ１、１７ｂ１が洗剤タンク４１の上端部から便器外郭体２内側の側方に向けて突出する。横管部１７ａ１、１７ｂ１は接続口１４ａ、１４ｂに挿入することで接続され、この挿入方向は左右方向と平行である。そして、本実施形態ではこれら各横管部１７ａ１、１７ｂ１で洗剤供給路８４に着脱自在に連通接続される被接続部７９を構成している。
【００７１】
また、図１１のように上記洗剤タンク４１の下面の前後方向の中央部には凹部６８を形成してあり、凹部６８の機器ケース２４側の側方部は係止部６９となっている。一方、洗剤タンクホルダ１５の底部１５ｂの内面において係止部６９に対応する箇所である前後方向の中央部には上方に突出する被係止部６４を形成している。
【００７２】
上記洗剤タンク４１を洗剤タンクホルダ１５に取り付けるには、洗剤タンク４１を洗剤タンクホルダ１５内に外側方から嵌め込み、洗剤タンクホルダ１５の下部に設けた被係止部６４の機器ケース２４側の面に洗剤タンク４１の下部に設けた係止部６９を係止する。また、これにより横管部１７ａ１、１７ｂ１は図１６（ｂ）のように接続口１４ａ、１４ｂの夫々に挿入されて連通接続され、洗剤タンク４１が循環洗剤路４５に設けられることとなる。
【００７３】
ここで、上記のように洗剤タンク４１を洗剤タンクホルダ１５内に嵌め込むと、洗剤タンク４１は箱状の洗剤タンクホルダ１５の内面によって上下方向及び前後方向において位置決めされた状態で左右方向にスライドする。従って、上記横管部１７ａ１、１７ｂ１と接続口１４ａ、１４ｂは位置合わせすることなく容易に接続することができる。
【００７４】
上記のように洗剤タンクホルダ１５に取付けた洗剤タンク４１は図１７のように洗剤タンクホルダ１５より外側方に突出し、この突出部分に前記洗剤補給口部及びこれに取付けた蓋１９が位置することとなる。
【００７５】
また、上記機器ケース２４に設けたガイド部２８及び洗剤タンクホルダ１５、加えてこの洗剤タンクホルダ１５に取付けた洗剤タンク４１は、便器外郭体２の後部の外側面部を構成する側カバー２１の開口部２１ａから外側方に突出し、このうち洗剤タンク４１の開口部２１ａから突出した部分に前述の洗剤補給口部及び蓋１９が位置する。さらにガイド部２８の下方には洗剤タンクホルダ１５の上面部１５ｃを介して機器ケース２４の下流側接続管１７ａ及び上流側接続管１７ｂと、洗剤タンク４１の両横管部１７ａ１、１７ｂ１が位置する。
【００７６】
また、上記洗剤タンクホルダ１５には図１４に示すように外側からタンクカバー３５が着脱自在に取り付けられ、該タンクカバー３５により洗剤タンクホルダ１５及び洗剤タンク４１の開口部２１ａから突出した部分及び開口部２１ａが覆われる。
【００７７】
図１５に示すタンクカバー３５は洗剤タンクホルダ１５側である右側方に開口している。タンクカバー３５の両側面部３５ａの上部には洗剤タンクホルダ１５側に向かって突出する上腕部７０を形成してあり、両上腕部７０の対向面には突起からなる回動用被係止部７１を形成している。両回動用被係止部７１は正面視で重複する位置に形成される。
【００７８】
また、両側面部３５ａの上下方向の中央部には洗剤タンクホルダ１５側に向かって突出する下腕部７２を形成してあり、両下腕部７２の対向面には固定用被係止部７３を突設してある。
【００７９】
図６に示すように上記タンクカバー３５が取付けられる洗剤タンクホルダ１５の前後両側の壁部１５ｄの上部の外面には外側方に開口するガイド溝７４を形成してある。ガイド溝７４は壁部１５ｄからリブ７５を突出することで形成してある。各ガイド溝７４において回動用被係止部７１に対応する箇所である機器ケース２４側の端部の溝底には凹部からなる回動用係止部７６を設けている。各ガイド溝７４は回動用係止部７６側に行く程徐々に溝幅を狭くしてある。さらに各ガイド溝７４は斜め上側から回動用被係止部７１を挿入することを想定して、上側の溝側面が回動用係止部７６側に行く程下方に位置するように傾斜している。
【００８０】
また、洗剤タンクホルダ１５の前後両側の壁部１５ｄの外面におけるガイド溝７４の下方位置には凹所７７を形成してあり、各凹所７７の機器ケース２４とは反対側の側方部は固定用係止部７８となっている。
【００８１】
タンクカバー３５を図１３に示すように機器ケース２４に取り付けた洗剤タンクホルダ１５に取り付けるには、タンクカバー３５の上部の前後両側に設けた回動用被係止部７１を洗剤タンクホルダ１５の両側に設けたガイド溝７４に挿入して対応する回動用係止部７６に嵌め込んで回動自在に係止し、また、タンクカバー３５の前後両側に設けた固定用被係止部７３を対応する固定用係止部７８の凹所７７側の面に係止する。これによりタンクカバー３５の両上腕部７０間及び両下腕部７２間に洗剤タンクホルダ１５が挟み込まれた状態でタンクカバー３５は洗剤タンクホルダ１５に取り付けられる。
【００８２】
ここで、上記タンクカバー３５は以下に示すように洗剤タンクホルダ１５の外側斜め上方から洗剤タンクホルダ１５に取り付けられるようになっており、これにより図４に示すように便器装置１を周囲を壁４０に囲まれた狭いトイレ室内に設置した場合に、便器装置１と壁４０との間の空間の上方から容易にタンクカバー３５を取り付けられるようになっている。
【００８３】
即ち、タンクカバー３５を洗剤タンクホルダ１５に取り付ける際には、まずタンクカバー３５を下部が上部よりも便器外郭体２の外側に位置するように傾斜させる又は横向きとし、このタンクカバー３５の天面部３５ｂの洗剤タンクホルダ１５側の端縁部分をガイド部２８の上面に沿わせながら、タンクカバー３５の両側の回動用被係止部７１を対応するガイド溝７４の端部に斜め上方から挿入し、ここからタンクカバー３５を洗剤タンクホルダ１５側に押し込んで両回動用被係止部７１を対応する回動用係止部７６に係止する。この時、ガイド部２８の上面をガイド面としてタンクカバー３５の天面部３５ｂをガイドすると共に各ガイド溝７４により回動用被係止部７１をガイドして、両回動用被係止部７１を対応する回動用係止部７６にスムーズに移動させることができる。
【００８４】
そして、上記傾斜又は横向きとしたタンクカバー３５の下部を洗剤タンクホルダ１５側に押し込み、これによりタンクカバー３５を回動用係止部７６に係止された両回動用被係止部７１を支点として回動し、当該タンクカバー３５の両側の固定用被係止部７３を対応する固定用係止部７８に係止する。
【００８５】
上記のように洗剤タンクホルダ１５に取り付けたタンクカバー３５の天面部３５ｂは図１６（ｂ）に示すように開口部２１ａから突出したガイド部２８の上方に位置し、ガイド部２８の上面に当接する又はガイド部２８の上面の近傍に位置する。また、上記のように洗剤タンクホルダ１５に取り付けたタンクカバー３５の表面部３５ｃの下部の洗剤タンクホルダ１５側の内面は洗剤タンク４１の下部の便器外郭体２の外側に面する外面に当たり、洗剤タンクホルダ１５側に向けて押圧される。
【００８６】
従って、洗剤タンク４１の洗剤タンクホルダ１５への嵌め込みが不十分であって、被係止部６４が係止部６９に係止されていない状態である場合にも、タンクカバー３５を上記のように洗剤タンクホルダ１５に取り付ければ、タンクカバー３５の下部で洗剤タンク４１の下部を洗剤タンクホルダ１５側に押圧し、これにより洗剤タンク４１を正しい取り付け位置に移動して被係止部６４を係止部６９に係止することができる。
【００８７】
洗剤タンク４１内に溜めた洗剤は便器装置１の使用により消費されるので、洗剤が少なくなると補給する必要がある。
【００８８】
洗剤の補給にあたっては、タンクカバー３５を取り外し、洗剤タンク４１を露出させ、蓋１９を外し、洗剤補給口部から洗剤タンク４１内に洗剤を補給する。
【００８９】
また、洗剤タンク４１を洗剤タンクホルダ１５から取り外したり、洗剤タンクホルダ１５を機器ケース２４から取り外すこともでき、洗剤タンク４１を取り外して洗剤を補充したり、洗剤タンク４１や洗剤タンクホルダ１５の掃除や交換を行ったり、洗剤タンク４１と循環洗剤路４５の接続部分となる洗剤タンク４１の横管部１７ａ１、１７ｂ１や機器ケース２４の接続口１４ａ、１４ｂ等のメンテナンスを行うことができる。なお、上記タンクカバー３５、洗剤タンク４１、洗剤タンクホルダ１５の取り外しは取り付け時と逆の作業を行えば良く、この説明は省略する。
【図面の簡単な説明】
【００９０】
【図１】本発明の実施の形態の一例の便器装置の分解斜視図である。
【図２】同上の側カバーや洗剤タンクホルダ、洗剤タンク、タンクカバー等の図示を省略した便器装置を示し、（ａ）は側面図であり、（ｂ）は背面図である。
【図３】同上の便器装置の概略構成図である。
【図４】同上の便器装置をトイレ室に設置した状態を示す平面図である。
【図５】同上の洗浄液吐出装置を示し、（ａ）は斜視図であり、（ｂ）は断面図である。
【図６】同上の洗剤タンクホルダの斜視図である。
【図７】同上の洗剤タンクホルダの正面図である。
【図８】同上の洗剤タンクホルダを機器ケースに取り付ける前の状態を示す下側から見た斜視図である。
【図９】同上の洗剤タンクホルダを機器ケースに取り付ける前の状態を示す上側から見た斜視図である。
【図１０】同上の洗剤タンクホルダを機器ケースに取り付ける前の状態を示す外側から見た斜視図である。
【図１１】同上の洗剤タンクの断面図である。
【図１２】同上の洗剤タンクの取り付け方を示す斜視図である。
【図１３】同上の内装ユニット、洗剤タンクホルダ、洗剤タンク、及びタンクカバーの分解斜視図である。
【図１４】同上の内装ユニットに洗剤タンクホルダ、洗剤タンク、及びタンクカバーを取り付けた状態を示す斜視図である。
【図１５】同上のタンクカバーの斜視図である。
【図１６】（ａ）は洗剤タンクカバーの被嵌込部近傍の断面図であり、（ｂ）は洗剤タンクの被接続部近傍の断面図である。
【図１７】同上のタンクカバーを取り外した便器装置の要部斜視図である。
【図１８】従来の便器装置の分解斜視図である。
【符号の説明】
【００９１】
１  便器装置
２  便器外郭体
３  ボウル部
１５  洗剤タンク
２８  ガイド部
３６  被嵌込部
７９  被接続部
８４  洗剤供給路
【図１】
0005149682.tif 000002
【図２】
0005149682.tif 000003
【図３】
0005149682.tif 000004
【図４】
0005149682.tif 000005
【図５】
0005149682.tif 000006
【図６】
0005149682.tif 000007
【図７】
0005149682.tif 000008
【図８】
0005149682.tif 000009
【図９】
0005149682.tif 000010
【図１０】
0005149682.tif 000011
【図１１】
0005149682.tif 000012
【図１２】
0005149682.tif 000013
【図１３】
0005149682.tif 000014
【図１４】
0005149682.tif 000015
【図１５】
0005149682.tif 000016
【図１６】
0005149682.tif 000017
【図１７】
0005149682.tif 000018
【図１８】
0005149682.tif 000019